(57)【要約】【課題】外部記憶装置に保存された複数の画像ファイルを読み出して一旦転送用バッファに格納して１つの画像ファイルに合成する画像処理装置において、全データサイズが転送用バッファのメモリ容量を超える複数の画像ファイルを１つの画像ファイルに合成することができる画像処理装置を提供すること。【解決手段】本発明の画像処理装置１は、バッファ１７に格納可能な分割画像データ２１と、複数の分割画像データ２１の属性情報を含むヘッダ２２と、からなる文書データ２３が複数保存されたＰＣ１５から、分割画像データ２１とヘッダ２２とをＬＡＮ１６を介してバッファ１７にファイル単位で読み出し、読み出された分割画像データ２１を複製して順次ＰＣ１５に転送し、複製された全複製分割データ２５の属性情報を含む合成ヘッダ２４をバッファ１７に生成し、ＰＣ１５に合成すべきデータがなくなった場合に、合成ヘッダ２４をＰＣ１５に転送するものである。【選択図】      図１
2006094152.tif 000002
【特許請求の範囲】
【請求項１】
転送用バッファに格納可能なデータサイズの分割画像データと、複数の前記分割画像データの属性情報を含むヘッダと、からなる文書データが複数保存された外部記憶装置から、前記分割画像データとヘッダとをネットワークを介して転送用バッファにファイル単位で読み出す読出手段と、該読出手段により読み出された分割画像データを複製して順次前記外部記憶装置に転送する分割画像データ複製・転送手段と、該分割画像データ複製・転送手段により複製された全複製分割データの属性情報を含む合成ヘッダを転送用バッファに生成する合成ヘッダ生成手段と、前記外部記憶装置に合成すべきデータがなくなった場合に、前記合成ヘッダを前記外部記憶装置に転送する合成ヘッダ転送手段と、を備えることを特徴とする画像処理装置。
【請求項２】
前記合成ヘッダ生成手段は、前記読出手段によりヘッダが読み出される度に前記合成ヘッダに含まれる属性情報を更新して合成ヘッダを生成することを特徴とする請求項１記載の画像処理装置。
【発明の詳細な説明】
【技術分野】
【０００１】
本発明は、画像処理装置に関し、詳しくは、ネットワークを介して通信可能に接続された外部記憶装置に保存された複数の画像ファイルを読み出して１つの画像ファイルとして合成したものを前記外部記憶装置に転送する画像処理装置に関する。
【背景技術】
【０００２】
コピーやファクシミリ送受信等の複数の機能を有する複合機（ＭＦＰ：Multi Function Peripherals）などが備える画像処理装置には、読み取った原稿の画像データから、例えば、ＴＩＦＦ（Tagged Image File Format）形式等の画像ファイルを生成して自装置内の画像メモリに保存して管理するものがある。画像処理装置の画像メモリに保存されるＴＩＦＦ形式等の画像ファイルは、画像データと該画像データの属性情報を含むヘッダとからなり、複数枚の原稿を読み取って得た複数の画像データを１つの画像ファイルとしてまとめることができる。したがって、このような形式の画像ファイルは、画像処理装置において読み取った原稿の画像データを保存・管理する場合に大変有用である。
【０００３】
ところで、画像処理装置の画像メモリのメモリ容量は限られているため、生成した全ての画像ファイルを保存することはできない。また、画像メモリはビット単価が高く、画像メモリのメモリ容量を大きくするにはコストがかかる。そこで、生成した画像ファイルをＬＡＮ（Local Area Network）等のネットワークを介してビット単価が安いＨＤＤ（Hard Disk Drive）等の大容量のストレージを備えた外部記憶装置にＳＭＢ（Serber Message Block）プロトコル等の通信プロトコルを用いて転送することにより、多数の画像ファイルを効率的に保存・管理することができる。
【０００４】
一般に、画像処理装置と外部記憶装置との間でネットワークを介してデータ転送する場合、画像処理装置にデータ転送用のバッファを設けておき、転送するデータを転送用バッファに一旦格納してから外部記憶装置に転送する（例えば、特許文献１参照）。この特許文献１の画像処理装置は、外部記憶装置に格納された画像データの任意の画像領域に対してフィルタ処理等の画像処理を行う場合に、該画像領域のデータを転送用バッファのメモリ容量よりも小さい所定のブロック単位で読み出して画像処理を行い、該画像処理を行ったブロック単位のデータを転送用バッファに格納し、転送用バッファに所定ブロック数のデータが格納されると外部記憶装置に転送するものである。この画像処理装置によると、前記画像領域の全データに対してブロック単位で画像処理をして転送するため、転送用バッファのメモリ容量を超えるデータサイズの画像データの処理・転送が可能である。
【特許文献１】特開２００２−３２８８８１号公報
【発明の開示】
【発明が解決しようとする課題】
【０００５】
しかしながら、上記のように外部記憶装置に保存された複数の画像ファイルを１つの画像ファイルに合成して、合成した画像ファイルを外部記憶装置に転送する場合、合成した画像ファイルのヘッダを生成するために、合成する複数の画像ファイルを全て読み出して転送用バッファに一旦格納する必要がある。そのため、特許文献１の画像処理装置のように、転送用バッファのメモリ容量を超えるデータサイズの画像ファイルを処理して外部記憶装置に転送することはできず、合成可能な画像ファイルのデータサイズが転送用バッファのメモリ容量に制限されるという問題点があった。
【０００６】
本発明は、上記の課題に鑑みてなされたものであり、ネットワークを介して接続された外部記憶装置に保存された複数の画像ファイルを読み出して一旦転送用バッファに格納して１つの画像ファイルに合成する画像処理装置において、全データサイズが転送用バッファのメモリ容量を超える複数の画像ファイルを１つの画像ファイルに合成することができる画像処理装置を提供することを目的とする。
【課題を解決するための手段】
【０００７】
上記目的を達成するために、請求項１記載の画像処理装置は、転送用バッファに格納可能なデータサイズの分割画像データと、複数の前記分割画像データの属性情報を含むヘッダと、からなる文書データが複数保存された外部記憶装置から、前記分割画像データとヘッダとをネットワークを介して転送用バッファにファイル単位で読み出す読出手段と、該読出手段により読み出された分割画像データを複製して順次前記外部記憶装置に転送する分割画像データ複製・転送手段と、該分割画像データ複製・転送手段により複製された全複製分割データの属性情報を含む合成ヘッダを転送用バッファに生成する合成ヘッダ生成手段と、前記外部記憶装置に合成すべきデータがなくなった場合に、前記合成ヘッダを前記外部記憶装置に転送する合成ヘッダ転送手段と、を備えることを特徴としている。
【０００８】
請求項２記載の画像処理装置は、請求項１記載の画像処理装置において、前記合成ヘッダ生成手段は、前記読出手段によりヘッダが読み出される度に前記合成ヘッダに含まれる属性情報を更新して合成ヘッダを生成することを特徴としている。
【発明の効果】
【０００９】
本発明の請求項１の画像処理装置によれば、外部記憶装置に格納された複数の文書データのヘッダと分割画像データをファイル毎に読み出し、読み出した分割画像データを複製して複製分割画像データを外部記憶装置に転送し、複製分割画像データの属性情報を含む合成ヘッダを生成し、生成した合成ヘッダを外部記憶装置に転送するため、全データサイズが転送用バッファのメモリ容量を超える複数の画像ファイルを１つの画像ファイルに合成することができる。
【００１０】
請求項２記載の画像処理装置によれば、請求項１記載の画像処理装置の効果に加えて、ヘッダが読み出される度に属性情報を更新して合成ヘッダを生成するため、合成されるヘッダに含まれる属性情報を順次追加して全複製画像データの属性情報を含む合成ヘッダを効率良く生成することができる。
【発明を実施するための最良の形態】
【００１１】
以下、本発明の実施の形態に係る画像処理装置について図面に基づき説明する。図１は、本発明の実施の形態に係る画像処理装置１の構成例を示したブロック図である。この画像処理装置１は、図示するように、制御部（ＣＰＵ：Central Processing Unit）２、ＲＯＭ（Read Only Memory）３、読取部４、コーデック（ＣＯＤＥＣ：Coder and Decoder）５、ＲＡＭ（Random Access Memory）６、ＬＡＮ Ｉ／Ｆ（Local Area Network Interface）７、画像メモリ８、通信部９、操作部１０、表示部１１、及び記録部１２を備えており、各部２乃至１２はバス１３によって通信可能に接続されている。また、画像処理装置１は、大容量の記憶装置であるＨＤＤ１４を備えたＰＣ（外部記憶装置）１５とＬＡＮ１６を介して通信可能に接続されている。
【００１２】
制御部２は、画像処理装置１を構成する各部を制御する。ＲＯＭ３は、制御部２によって画像処理装置１の各部が制御されるための制御プログラムを格納している。
【００１３】
読取部４は、原稿の画像データを読み取るためのものである。この読取部４は、図示しないが、原稿の画像データを読み取るためのフラットベッド読取部（ＦＢＳ：Flat Bed Scanner）と、自動原稿搬送装置（ＡＤＦ：Automatic Document Feeder）と、を備えている。フラットベッド読取部には、原稿が載置される透明な原稿載置板と、自動原稿搬送装置が搬送する原稿が通過する透明な透光板が設けられている。自動原稿搬送装置の原稿トレイに載置された原稿は、１枚ずつ順次透光板上に搬送され、原稿の画像がフラットベッド読取部内に設けられたＣＣＤ（Charge Coupled Device）ラインセンサにより読み取られ、画像データとして出力される。なお、ＣＣＤラインセンサにより原稿載置板に載置された原稿の画像データを読み取ることもできる。
【００１４】
コーデック５は、画像データをＭＨ（Modified Huffman）、ＭＲ（Modified READ）、ＭＭＲ（Modified Modified READ）、ＪＢＩＧ（Joint Bi-level Image Group）方式等により符号化（エンコード）・復号（デコード）する機能を有しており、読取部４で読み取られた原稿の画像データを符号化し、符号化された画像データを復号する。また、コンピュータで一般的に使用される画像フォーマットであるＴＩＦＦ形式やＰＤＦ（Portable Document Format）形式にも対応して画像データを符号化、又は復号する。
【００１５】
ＲＡＭ６は、制御部２の主メモリ、ワークエリア等として機能するものであり、バッファ１７を備えている。このバッファ１７は、画像処理装置１とＰＣ１５との間でＳＭＢプロトコル等の通信プロトコルを用いてデータ転送をする際に、転送するデータを一旦格納する転送用バッファである。
【００１６】
ＬＡＮ Ｉ／Ｆ７は、ＬＡＮ１６と画像処理装置１とを通信可能に接続するインターフェースである。ＬＡＮ１６には、ＨＤＤ１４を備えたＰＣ１５が設置されており、このＰＣ１５のＨＤＤ１４にバッファ１７から転送されたデータが格納される。画像メモリ８は、コーデック６において符号化された画像データ等を格納する。また、ＰＣ１５のＨＤＤ１４から読み出したデータを格納することもできる。
【００１７】
通信部９は、モデム１８及びＮＣＵ（Network Control Unit）１９を備えている。モデム１８は、例えばＩＴＵ−Ｔ（国際電気通信連合電気通信標準化部門）の勧告Ｖ．３４規格又はこれと同様のものに従った送受信データの変調及び復調を行うものである。ＮＣＵ１９は、電話回線を制御して電話をかけたり、切ったりする回線網制御装置であり、ＰＳＴＮ（Public Switched Telephone Network）２０に接続されている。この通信部９は、ファクシミリ送受信を行う際に機能する。
【００１８】
操作部１０は、画像処理装置１の各種設定を行うためのカーソルキーや、コピーやファクシミリ送信の指示等を入力する各種操作キー等を備えており、表示部１１と連動している。ユーザによる各種の入力操作は、この操作部１０において行われる。表示部１１は、液晶表示装置（ＬＣＤ：Liquid Crystal Display）、ＬＥＤランプ等からなり、各種の設定画面や画像処理装置１の動作状態等を文字や図形、光等で表示する。また、表示部１１の液晶表示装置をタッチパネル式のものとし、操作部１０の代わりに表示部１１から画像処理装置１の各種設定・操作を行うようにしてもよい。記録部１２は、読取部４で読み取った原稿の画像データや、通信部９によりファクシミリ受信した原稿の画像データの画像を用紙に記録するものである。この記録部１２における記録方式としては、例えば、電子写真方式やインクジェット記録方式等の各種の記録方式を用いることができる。
【００１９】
以上のように構成された画像処理装置１において、読取部４の自動原稿搬送装置の原稿トレイに載置された原稿の画像データを読み取ってＴＩＦＦ形式の画像ファイル（以下、「ＴＩＦＦファイル」という。）としてＰＣ１５のＨＤＤ１４に転送するように設定された状態で読取開始命令があった場合に行われる処理動作について、図２に示すフローチャートに基づいて説明する。なお、この画像処理装置１の各部の処理動作は、ＲＯＭ３に格納されている制御プログラムに基づいて制御部２が発行する制御命令に従って行われる。
【００２０】
まず、制御部２は、自動原稿搬送装置の原稿トレイに載置された原稿の画像データを読み取ってＰＣ１５のＨＤＤ１４に転送するように設定された状態でユーザにより操作部１０から読取開始命令が入力されると（Ｓ１：ＹＥＳ）、図３に示すように、読取部４により原稿の画像データを読み取り、読み取った原稿の画像データをコーデック５により、例えばＭＭＲ方式により符号化する（Ｓ２）。次いで、符号化された画像データを順次バッファ１７に格納する（Ｓ３）。
【００２１】
そして、制御部２は、バッファ１７に格納された画像データのデータサイズがバッファ１７に格納可能な所定のデータサイズ（以下、所定サイズともいう。）になったか否かを判断する（Ｓ４）。格納された画像データのデータサイズが所定サイズになったと判断した場合（Ｓ４：ＹＥＳ）、すなわち、読み取った原稿の画像データを所定サイズに分割した分割画像データ２１をバッファ１７に格納したと判断した場合、バッファ１７にヘッダ２２があるか否かを判断する（Ｓ５）。
【００２２】
このヘッダ２２とは、図４に示すように、ＴＩＦＦファイルにおける、狭義のヘッダとＩＦＤからなるものである。狭義のヘッダとは、ＴＩＦＦファイルの先頭に１つだけ存在するものであり、ＴＩＦＦファイル中のバイトオーダーや当該ＴＩＦＦファイルに存在する最初のＩＦＤへのオフセット値等が記述される。ＩＦＤは、分割画像データ２１に関する様々な属性情報が記述されたエントリを含んでおり、該ＩＦＤに含まれるエントリの個数と、その個数分のエントリと、次のＩＦＤへのオフセット値が順に記述される。エントリは、分割画像データ２１に１対１に対応するものであり、分割画像データ２１の型、分割画像データ２１に含まれる値の数、分割画像データ２１の値又は値へのオフセット値といった属性情報が記述される。
【００２３】
制御部２は、Ｓ５において、バッファ１７にヘッダ２２がないと判断した場合（Ｓ５：ＮＯ）、ヘッダ２２をバッファ１７に生成する（Ｓ６）。この際のヘッダ２２のＩＦＤは、エントリの個数が０となっている。一方、バッファ１７にヘッダ２２があると判断した場合は（Ｓ５：ＹＥＳ）、Ｓ６をスキップする。また、Ｓ４において、バッファ１７に格納された画像データのデータサイズが所定サイズになっていないと判断した場合は（Ｓ４：ＮＯ）、読み取った全ての原稿の画像データをバッファ１７に格納したか否かを判断する（Ｓ７）。読み取った全ての原稿の画像データをバッファ１７に格納したと判断した場合（Ｓ７：ＹＥＳ）、Ｓ５以降の処理を行う。逆に、読み取った全ての原稿の画像データをバッファ１７に格納していないと判断した場合は（Ｓ７：ＮＯ）、Ｓ３以降の処理を行う。
【００２４】
次いで、制御部２は、図３に示すように、バッファ１７に格納した分割画像データ２１をファイルとして、例えばＳＭＢプロトコルを用いてＰＣ（外部記憶装置）１５に転送する（Ｓ８）。例えば、自動原稿搬送装置の原稿トレイに載置された３枚の原稿を読み取る際に、バッファ１７に格納可能な所定サイズが原稿４分の３枚分の画像データのデータサイズの場合は、読み取った原稿３枚分の画像データを４分の３枚分ずつのデータサイズに分割した分割画像データ２１がバッファ１７に格納される度に順次ファイル名が付されてＰＣ１５のＨＤＤ１４に転送され、ＨＤＤ１４に分割画像データ２１のファイルが４つ保存される。
【００２５】
制御部２は、分割画像データ２１の転送後、ヘッダ２２に含まれる属性情報を更新する（Ｓ９）。具体的には、ヘッダ２２のＩＦＤに記述されたエントリの個数を１つ増加させるとともに、転送した分割画像データ２１に対応するエントリをＩＦＤに追加して属性情報を更新する。そして、読み取った全ての画像データをバッファ１７に格納したか否かを判断する（Ｓ１０）。読み取った全ての画像データをバッファ１７に格納していないと判断した場合（Ｓ１０：ＮＯ）、Ｓ３以降の処理を行う。一方、読み取った全ての画像データをバッファ１７に格納したと判断した場合は（Ｓ１０：ＹＥＳ）、全分割画像データ２１の属性情報を含むヘッダ２２をファイルとしてＰＣ１５に転送する（Ｓ１１）。
【００２６】
以上の処理によって、読取部４により読み取った原稿の画像データは、図５に示すように、１つのヘッダ２２のファイルと複数の分割画像データ２１のファイルの集まりである文書データ２３としてＰＣ１５のＨＤＤ１４に保存される。なお、この文書データ２３は、ファイル毎のデータの集まりであって１つのＴＩＦＦファイルとしては保存されていない。しかし、ヘッダ２２は、当該文書データ２３中の全分割画像データ２１の属性情報を含んでおり、画像処理装置１によりＨＤＤ１４から文書データ２３を読み出して所定の処理を行うことによってＴＩＦＦファイルとして扱うことができる。
【００２７】
以上の説明から明らかなように、本発明の実施の形態に係る画像処理装置１によれば、全データサイズがバッファ１７のメモリ容量を超える画像データをファイルとしてバッファ１７からＰＣ１５のＨＤＤ１４に転送して保存することができる。また、読み取った画像データをＴＩＦＦファイルとしてＰＣ１５のＨＤＤ１４に転送して保存した場合と同様に、ＨＤＤ１４に保存された文書データ２３を読み出して紙に記録したり、ファクシミリ送信する等、管理することができる。
【００２８】
次に、ＰＣ１５のＨＤＤ１４に文書データ２３が複数保存されており、画像処理装置１において、それら複数の文書データ２３を１つの合成文書データに合成する命令が入力された場合の各部の処理動作について、図６に示すフローチャートに基づいて説明する。なお、この画像処理装置１の各部の処理動作は、ＲＯＭ３に格納されている制御プログラムに基づいて制御部２が発行する制御命令に従って行われる。
【００２９】
まず、制御部２は、ＰＣ１５のＨＤＤ１４にファイル毎に保存された複数の文書データ２３を１つの合成文書データに合成する命令がユーザにより操作部１０から入力されると（Ｓ２１）、ＰＣ（外部記憶装置）１５のＨＤＤ１４に合成すべきデータがあるか否かを判断する（Ｓ２２）。ＨＤＤ１４に合成すべきデータがあると判断した場合（Ｓ２２：ＹＥＳ）、ＨＤＤ１４からファイル単位で合成すべきデータをバッファ１７に読み出す（Ｓ２３）。一方、ＨＤＤ１４に合成すべきデータがないと判断した場合は（Ｓ２２：ＮＯ）、処理を終了する。
【００３０】
制御部２は、ファイル単位のデータの読出し後、読み出したデータがヘッダ２２であるか否かを判断する（Ｓ２４）。読み出したデータがヘッダ２２であると判断した場合（Ｓ２４：ＹＥＳ）、バッファ１７に合成ヘッダ２４があるか否かを判断する（Ｓ２５）。この合成ヘッダ２４とは、新規に生成されるヘッダと、読み出したヘッダ２２に含まれるＩＦＤからなるものである。バッファ１７に合成ヘッダ２４がないと判断した場合（Ｓ２５：ＮＯ）、読み出したヘッダ２２に基づいて合成ヘッダ２４をバッファ１７に生成する（Ｓ２６）。一方、バッファ１７に合成ヘッダ２４があると判断した場合は（Ｓ２５：ＹＥＳ）、読み出したヘッダ２２に基づいて合成ヘッダ２４に含まれる属性情報を更新する（Ｓ２７）。具体的には、読み出したヘッダ２２中のＩＦＤを合成ヘッダ２４のＩＦＤに付加することによって属性情報を更新する。
【００３１】
また、制御部２は、Ｓ２４において、読み出したデータがヘッダ２２でないと判断した場合は（Ｓ２４：ＮＯ）、すなわち、読み出したデータが分割画像データ２１であると判断した場合は、分割画像データ２１を複製した複製分割画像データ２５をファイルとしてＰＣ１５に転送する（Ｓ２８）。この複製分割画像データ２５とは、読み出した分割画像データ２１に別のファイル名を付して複製したものであり、読み出した分割画像データ２１のファイルをそのままＨＤＤ１４に転送して上書きしないようにしている。具体的には、図７に示すように、文書データＡ２３と文書データＢ２３を合成する場合に、バッファ１７から読み出したデータが分割画像データ（Ａ_１）２１であるとき、分割画像データ（Ａ_１）を複製した複製分割画像データ（Ａ_１’）２５をＰＣ１５に転送する。なお、最初に複製分割画像データ２５をＰＣ１５に転送する際に、ＰＣ１５のＨＤＤ１４内に新規にディレクトリを作成し、そのディレクトリ内に生成した合成ヘッダ２４及び複製分割画像データ２５を転送して書き込むようにしてもよい。
【００３２】
次いで、制御部２は、ＨＤＤ１４に合成すべきデータがあるか否かを判断する（Ｓ２９）。ＨＤＤ１４に合成すべきデータがあると判断した場合（Ｓ２９：ＹＥＳ）、Ｓ２３以降の処理を行う。一方、ＨＤＤ１４に合成すべきデータがないと判断した場合は（Ｓ２９：ＮＯ）、合成ヘッダ２４をファイルとしてＰＣ１５に転送して（Ｓ３０）、１つの合成ヘッダ２４のファイルと複数の複製分割画像データ２５のファイルの集まりである合成文書データをＨＤＤ１４に保存する。なお、この合成文書データは、文書データ２３と同様に、画像処理装置１によりＨＤＤ１４から読み出して所定の処理を施すことによって１つのＴＩＦＦファイルとして扱うことができる。
【００３３】
以上の説明から明らかなように、本発明の実施の形態に係る画像処理装置１によれば、バッファ１７のメモリ容量に制限されることなく、ＰＣ１５のＨＤＤ１４に保存された複数の文書データ２３を１つの合成文書データに合成することが可能である。
【００３４】
なお、本発明は上記実施の形態に限定されるものではなく、本発明の要旨の範囲内で種々の変形実施が可能である。例えば、上記実施の形態では、ヘッダ２２及び合成ヘッダ２４は、ＴＩＦＦファイルにおけるヘッダを含むものとしたが、例えばＰＤＦ（Portable Document Format）形式等の画像ファイルのヘッダを含むものとしてもよい。また、ヘッダ２２は、１つのＩＦＤに複数のエントリが含まれるものとしたが、１つのＩＦＤに１つのエントリが含まれるものとして、１つのヘッダ２２に複数のＩＦＤが含まれるものとしてもよい。
【産業上の利用可能性】
【００３５】
本発明は、ネットワークを介して外部記憶装置と通信可能に接続された画像処理装置を備える複合機等に適用可能である。
【図面の簡単な説明】
【００３６】
【図１】本発明の実施の形態に係る画像処理装置の構成例を示したブロック図である。
【図２】原稿の画像データを読み取ってＴＩＦＦファイルとして外部記憶装置に転送するように設定された状態で読取開始命令が入力された場合に画像処理装置において行われる処理動作を示すフローチャートである。
【図３】読取部により読み取った原稿の画像データの流れを示す模式図である。
【図４】ヘッダ及び分割画像データのデータ構造を示す説明図である。
【図５】外部記憶装置に保存された文書データを示す説明図である。
【図６】外部記憶装置に格納された複数の文書データを１つの合成文書データに合成する命令が入力された場合に画像処理装置において行われる処理動作を示すフローチャートである。
【図７】外部記憶装置に格納された複数の文書データを１つの合成文書データに合成する場合のデータの流れを示す模式図である。
【符号の説明】
【００３７】
１    画像処理装置
２    制御部
４    読取部
６    ＲＡＭ
１４    ＨＤＤ
１５    ＰＣ
１６    ＬＡＮ
１７    バッファ
２１    分割画像データ
２２    ヘッダ
２３    文書データ
２４    合成ヘッダ
２５    複製分割画像データ
【図１】
2006094152.tif 000003
【図２】
2006094152.tif 000004
【図３】
2006094152.tif 000005
【図４】
2006094152.tif 000006
【図５】
2006094152.tif 000007
【図６】
2006094152.tif 000008
【図７】
2006094152.tif 000009